(57)【要約】【課題】  本発明は、車載装置及び車載装置の表示方法に関し、例えばカーオーディオ装置に適用して、本来の機能に係る表示を損なうことなく、車両に関する各種の情報を表示することができるようにする。【解決手段】  本発明は、主の情報による表示を車両に関する情報Ｄ１により変化させる。【選択図】        図１
2005112255.tif 000002
【特許請求の範囲】
【請求項１】
主の情報取得手段で取得した主の情報により表示手段を駆動することにより、前記表示手段に前記主の情報による表示を形成する車載装置において、
搭載された車両に関する情報を取得する車両情報取得手段を有し、
前記車両に関する情報により前記主の情報による表示を変化させる
ことを特徴とする車載装置。
【請求項２】
オーディオ信号によりスピーカを駆動する増幅回路を有し、
前記主の情報取得手段による前記主の情報が、前記オーディオ信号に係る情報である
ことを特徴とする請求項１に記載の車載装置。
【請求項３】
前記主の情報による表示が、前記オーディオ信号の周波数スペクトラムに係る表示である
ことを特徴とする請求項２に記載の車載装置。
【請求項４】
前記主の情報による表示が、前記オーディオ信号の音量に係る表示である
ことを特徴とする請求項２に記載の車載装置。
【請求項５】
前記主の情報による表示の変化が、色彩の変化である
ことを特徴とする請求項１に記載の車載装置。
【請求項６】
前記主の情報による表示の変化が、背景の変化である
ことを特徴とする請求項１に記載の車載装置。
【請求項７】
前記車両に関する情報が、前記車両の挙動に関する情報である
ことを特徴とする請求項１に記載の車載装置。
【請求項８】
現在位置を検出する位置検出手段を有し、
前記主の情報取得手段による前記主の情報が、前記位置検出手段による現在位置の情報である
ことを特徴とする請求項１に記載の車載装置。
【請求項９】
主の情報取得手段で取得した主の情報により表示手段を駆動することにより、前記表示手段に前記主の情報による表示を形成する車載装置の表示方法において、
搭載された車両に関する情報により前記主の情報による表示を変化させる
ことを特徴とする車載装置の表示方法。
【発明の詳細な説明】
【技術分野】
【０００１】
本発明は、車載装置及び車載装置の表示方法に関し、例えばカーオーディオ装置に適用することができる。本発明は、主の情報による表示を車両に関する情報により変化させることにより、本来の機能に係る表示を損なうことなく、車両に関する各種の情報を表示することができるようにする。
【背景技術】
【０００２】
従来、車載装置の１つであるカーオーディオ装置においては、ユーザーに提供している音楽の音量、周波数スペクトラム等をグラフィック表示することにより、視覚を通じても音楽を楽しむことができるように構成され、これによりいわゆるエンターテイメント性を発揮するようになされている。
【０００３】
このようなカーオーディオ装置の表示においては、カーオーディオ装置が搭載される車両との関係で、例えば特開２００２−１８７４５４号公報に、車両の走行速度等に応じてキャラクタを切り換えて表示することにより、カーオーディオ装置の表示機構を専ら車両に係る情報の表示手段として使用する方法が提案されるようになされている。
【０００４】
ところでカーオーディオ装置において、エンターテイメント性を確保する表示である本来の機能に係る表示を損なうことなく、車両に関する各種の情報を表示することができれば、種々の有益な情報を搭乗者に通知してカーオーディオ装置の使い勝手を一段と向上できると考えられる。
【特許文献１】特開２００２−１８７４５４号公報
【発明の開示】
【発明が解決しようとする課題】
【０００５】
本発明は以上の点を考慮してなされたもので、本来の機能に係る表示を損なうことなく、車両に関する各種の情報を表示することができる車載装置及び車載装置の表示方法を提案しようとするものである。
【課題を解決するための手段】
【０００６】
かかる課題を解決するため請求項１の発明においては、主の情報取得手段で取得した主の情報により表示手段を駆動することにより、表示手段に主の情報による表示を形成する車載装置に適用して、搭載された車両に関する情報を取得する車両情報取得手段を有し、車両に関する情報により主の情報による表示を変化させる。
【０００７】
また請求項９の発明においては、主の情報取得手段で取得した主の情報により表示手段を駆動することにより、表示手段に主の情報による表示を形成する車載装置の表示方法に適用して、搭載された車両に関する情報により主の情報による表示を変化させる。
【０００８】
請求項１の構成により、主の情報取得手段で取得した主の情報により表示手段を駆動することにより、表示手段に主の情報による表示を形成する車載装置に適用して、搭載された車両に関する情報を取得する車両情報取得手段を有し、車両に関する情報により主の情報による表示を変化させれば、主の情報による表示により本来の機能に係る表示を提供しながら、車両に関する各種の情報を表示することができ、これにより本来の機能に係る表示を損なうことなく、車両に関する各種の情報を表示することができる。
【０００９】
これにより請求項９の構成によれば、本来の機能に係る表示を損なうことなく、車両に関する各種の情報を表示することができる車載装置の表示方法を提供することができる。
【発明の効果】
【００１０】
本発明によれば、音楽に係るエンターテイメント性等の、本来の機能に係る表示を損なうことなく、車両に関する各種の情報を表示することができる。
【発明を実施するための最良の形態】
【００１１】
以下、適宜図面を参照しながら本発明の実施例を詳述する。
【実施例１】
【００１２】
（１）実施例の構成
図１は、本発明の実施例に係る車載装置であるカーオーディオ装置を示すブロック図である。このカーオーディオ装置１において、ソース部２は、中央処理ユニット３の制御により動作を切り換え、各種音楽ソースからオーディオ信号を出力する。この実施例では、この音楽ソースに、放送波を受信してオーディオ信号を出力するチューナ、記録媒体に記録されたオーディオ信号を再生して出力する記録再生装置が適用され、これによりＦＭ放送等により提供されるオーディオ信号、コンパクトディスク等の光ディスクにより提供されるオーディオ信号を出力するようになされている。
【００１３】
信号処理回路４は、このソース部２から出力されるオーディオ信号の音量、周波数特性等を中央処理ユニット３の制御により補正して出力し、増幅回路５は、この信号処理回路４から出力されるオーディオ信号によりスピーカ６を駆動する。これによりこのカーオーディオ装置１では、各種音楽ソースのオーディオ信号を試聴できるようになされている。
【００１４】
さらに信号処理回路４は、このように音量、周波数特性を補正してなるオーディオ信号について、信号レベル、周波数スペクトラムを検出し、検出結果を中央処理ユニット３に出力し、これによりこのカーオーディオ装置１では、ユーザーによる設定に従って、ユーザーに提供しているオーディオ信号に係る音量又は周波数スペクトラムをグラフィック表示し、音楽に係るエンターテイメント性を確保するようになされている。これにより信号処理回路４は、音楽に係るエンターテイメント性を確保する本来の表示機能に係る主の情報を取得する主の情報取得手段を構成するようになされている。
【００１５】
ディスプレイコントローラ９は、液晶表示パネル（ＬＣＤ）８と共に画像表示手段を構成し、中央処理ユニット３の制御により所定の画像を表示する。
【００１６】
操作子１０は、このカーオーディオ装置１の操作パネルに設けられ、ユーザーによる各種操作を中央処理ユニット３に通知する。インターフェース（Ｉ／Ｆ）１１は、このカーオーディオ装置１が搭載される車両のコントローラに接続され、この車両のコントローラからこの車両に関する情報Ｄ１を取得して中央処理ユニット３に通知する。この実施例においては、この車両に関する情報Ｄ１として走行速度、エンジンの回転数、車両の前後、左右の傾き、車内外の温度、車内外の音の大きさの情報が通知される。
【００１７】
中央処理ユニット３は、このカーオーディオ装置１全体の動作を制御するコンピュータを構成し、操作子１０の操作によりユーザーが音楽の試聴を指示すると、ソース部２にオーディオ信号の出力を指示し、またこのオーディオ信号の処理を信号処理回路４に指示する。これによりこのカーオーディオ装置１では、所望する音楽を試聴できるようになされている。中央処理ユニット３は、さらにこのようにして音楽を試聴して、この音楽が放送を受信したものの場合、放送局のチャンネル等の表示をディスプレイコントローラ９に指示する。またこの音楽が記録媒体から再生したものの場合、トラック番号等のこの音楽に係る情報の表示をディスプレイコントローラ９に指示する。
【００１８】
これに対してこのカーオーディオ装置１における表示モードを周波数スペクトラムのグラフィック表示に設定している場合、信号処理回路４で検出される周波数スペクトラムの表示をディスプレイコントローラ９に指示する。
【００１９】
図２は、この周波数スペクトラムのグラフィック表示を示す正面図である。この実施例においては、これら４種類のグラフィック表示の何れかを選択できるようになされている。
【００２０】
ここで図２（Ａ）に示すグラフィック表示は、それぞれ矢印Ａにより示すように、複数の３次元物体形状であるオブジェクトＯを回転させて周波数スペクトラムを表示するものであり、左側が周波数の低い側に割り当てられて、各オブジェクトＯにそれぞれ周波数帯域が割り当てられ、各オブジェクトＯの回転量がそれぞれ対応する周波数帯域の信号レベルに対応するように設定される。これにより重低音が豊富なオーディオ信号では、左側のオブジェクトＯが高速度で回転し、高音が豊富なオーディオ信号では、右側のオブジェクトＯが高速度で回転するようになされている。
【００２１】
中央処理ユニット３は、この表示において、各オブジェクトＯの単位時間当たりの回転量を信号処理回路４から得られる周波数スペクトラムの検出結果により計算し、この計算結果によりディスプレイコントローラ９に各周波数帯域に対応するオブジェクトＯの回転を指示するようになされている。また同様の指示により、各帯域の信号レベルが大きい程、対応するオブジェクトＯの透明度が低下してはっきりとオブジェクトＯが見て取れるようになされている。
【００２２】
これに対して図２（Ｂ）に示すグラフィック表示は、オーディオ信号の信号波形を周波数スペクトラムに重畳させて表示するものである。すなわちこの表示における周波数スペクトラムにおいては、棒グラフ状に各周波数帯域の信号レベルが表示される。この図２（Ｂ）に示すグラフィック表示は、この棒グラフ状の０レベルが信号波形の０レベルと一致するようにしてオーディオ信号の信号波形が重ねて表示される。
【００２３】
これに対して図２（Ｃ）に示すグラフィック表示は、いわゆるドットパターンの表示であり、周波数スペクトラムに係る各周波数帯域の信号レベル検出結果をドットにより、次の信号レベル検出結果を表示した後においても、一定時間継続して表示するものである。
【００２４】
これに対して図２（Ｄ）に示すグラフィック表示は、折れ線グラフによる表示により各周波数帯域の信号レベルを示すものである。
【００２５】
中央処理ユニット３は、事前の設定に従って、これら４種類の表示からユーザーにより選択された表示形式により周波数スペクトラムを表示する。
【００２６】
これに対してユーザーが音量のグラフィック表示を指示した場合、図３に示すように、左右チャンネルの音量に応じた大きさによりそれぞれ左右三角形形状の表示を形成し、これにより音量をグラフィック表示する。これらによりこのカーオーディオ装置１では、このようなグラフィック表示によっても音楽を楽しむことができるようになされ、このグラフィック表示により車内におけるエンターテイメント性を向上するようになされている。
【００２７】
中央処理ユニット３は、このようにしてエンターテイメント性に係る本来の機能に係る表示において、ユーザーにより車両に関する情報Ｄ１の表示が指示されている場合、このようなグラフィック表示を対応する情報Ｄ１により変化させる。
【００２８】
すなわち中央処理ユニット３は、ユーザーにより走行速度の表示が指示されている場合、図２（Ａ）〜（Ｄ）、図３に係るグラフィック表示の色彩を変化させることにより、走行速度を表示する。すなわち中央処理ユニット３は、図２（Ａ）〜（Ｄ）において、オブジェクトＯ、棒グラフ、ドット、折れ線の表示色を、速度が一定速度以下の場合には、緑色により表示する。また速度が一定速度を越えると、これらを黄色により表示し、さらに速度が増大すると赤色により表示する。これに対してユーザーによりエンジンの回転数の表示が指示されている場合、回転速度の増大に伴い、走行速度の場合と同様にして表示の色彩を変化させる。また同様に、図３に示す左右の音量に係る表示色を切り換える。
【００２９】
これに対して車両の前後の傾き又は車両の左右の傾きの表示が指示されている場合、図２（Ａ）、（Ｂ）及び（Ｄ）との対比により図４（Ａ）〜（Ｃ）に示すように、傾きの大きさ、方向に応じて各グラフィック表示を左右に傾ける。また同様に、図３に示す左右の音量に係る表示を傾ける。
【００３０】
これに対して車内外の温度の表示が指示されている場合、中央処理ユニット３は、車外の温度については背景の表示色により、車内の温度については、それぞれオブジェクトＯ、棒グラフ、ドット、折れ線の表示色により表示する。すなわち温度が低い場合には、青色により温度を表示し、温度が高くなるに従って順次青色−緑色−黄色−橙色−赤色に表示色を切り換える。また同様に、図３に示す左右の音量に係る表示色を切り換える。
【００３１】
また車内外の音の大きさの表示が指示されている場合、中央処理ユニット３は、車外の音については背景により、車内の音については、それぞれオブジェクトＯ、棒グラフ、ドット、折れ線により表示する。すなわち中央処理ユニット３は、これらの場合、車両に設けられたマイクで取得して得られる車外、車内の音を車両に関する情報Ｄ１として入力し、この音の音量を判定する。またこの判定結果に基づいて、これら音が一定の音量以上の場合、車外、車内に係る表示色を赤色に切り換える。また同様に、図３に示す左右の音量に係る表示色を切り換える。これによりこのカーオーディオ装置１では、例えば緊急車両の接近等をユーザーに知らせることができるようになされている。
【００３２】
（２）実施例の動作
以上の構成において、このカーオーディオ装置１では（図１）、ソース部２から出力されるオーディオ信号が信号処理回路４により処理された後、増幅回路５に出力され、スピーカ６の駆動に供される。これによりこのカーオーディオ装置１では種々のソースによる音楽を楽しむことができるようになされている。
【００３３】
カーオーディオ装置１では、このようにしてユーザーに音楽を提供して、この音楽に係るオーディオ信号の音量、周波数スペクトラムが信号処理回路４で検出され、この検出結果が中央処理ユニット３に通知される。カーオーディオ装置１では、ユーザーが音量の表示を指示している場合、この音量による検出結果が液晶表示パネル８により表示される（図３）。またユーザーが周波数スペクトラムの表示を指示している場合、ユーザーの所望する表示形態により周波数スペクトラムのグラフィック表示が液晶表示パネル８より提供される（図２）。これによりカーオーディオ装置１では、エンターテイメント性が図られ、視覚を通じても音楽を楽しむことができる。
【００３４】
しかしてこのようにして音楽に係る情報表示手段としての液晶表示パネル８により音量、周波数スペクトラムを表示することにより、カーオーディオ装置１では、音楽に係る本来の表示機能により表示手段に音量、周波数スペクトラムが表示されることになる。
【００３５】
このようにして本来の機能に係る表示をユーザーが指示した上で、さらに車両に関する情報Ｄ１の表示がユーザーにより指示されている場合、カーオーディオ装置１では、このカーオーディオ装置１が搭載されている車両のコントローラからインターフェース１１を介してこの車両に関する情報Ｄ１が取得され、この情報Ｄ１により液晶表示パネル８の表示が変化する。
【００３６】
これによりこのカーオーディオ装置１では、この表示の変化により車両に関する情報Ｄ１を確認することができる。このときこの車両に関する情報Ｄ１においては、本来の表示である音量、周波数スペクトラムの表示を変化させて表示されていることにより、ユーザーにおいては、本来の表示についても確認することができる。より具体的には、オブジェクトＯについては（図２（Ａ））、その回転により、棒グラフ等の表示においては、表示箇所、表示の形状、表示する部位の面積（図２（Ｂ）〜（Ｄ）、図３）により、これら音量、周波数スペクトラムをユーザーに通知するのに対し、これら車両に関する情報Ｄ１については、表示色、傾きによりユーザーに通知され、これらにより本来の機能に係る表示を損なうことなく、車両に関する各種の情報を表示することができる。
【００３７】
すなわちユーザーにより走行速度の表示が指示されている場合、オブジェクトＯ、棒グラフ、ドット、折れ線等の表示色は、速度が増大するに従って、緑色−黄色−赤色に切り換えられる。また車両の前後の傾き又は車両の左右の傾きの表示が指示されている場合、傾きの大きさ、方向に応じて各グラフィック表示が左右に傾けられる。また車内外の温度の表示が指示されている場合、さらには車内外の音の大きさの表示が指示されている場合、温度に応じて背景等の表示色が切り換えられる。
【００３８】
これらによりこのカーオーディオ装置１では、エンターテイメントとしての意味しかなかったカーオーディオの表示に車の状態表示という意味を付加することができる。これによりユーザーにおいては、運転席の各種計器を読み取れない助手席等においても、この表示により車の挙動を読み取ることができ、一段と安全を図ることができる。また必要に応じてこの種の表示を中止できることにより、運転等の障害になる場合には、車両に関する情報Ｄ１についての表示を中止することもできる。
【００３９】
（３）実施例の効果
以上の構成によれば、主の情報による表示を、車両に関する情報により変化させることにより、本来の機能に係る表示を損なうことなく、車両に関する各種の情報を表示することができる。
【００４０】
すなわちこの実施例においては、カーオーディオ装置に適用して、オーディオ信号に係る情報である主の情報の表示を損なうことなく、車両に関する各種の情報を表示することができる。
【００４１】
より具体的には、オーディオ信号の周波数スペクトラム、オーディオ信号の音量に係る表示を損なうことなく、車両に関する各種の情報を表示することができる。
【００４２】
またこのような表示の変化を、色彩の変化、背景の変化であるようにすることにより、具体的に本来の機能に係る表示を損なうことなく、車両に関する各種の情報を表示することができる。
【００４３】
またこの車両に関する情報が、車両の挙動に関する情報である走行速度、エンジンの回転数、車両の前後、左右の傾きであることにより、さらにはこの車両に関する情報が車内外の温度、車内外の音の大きさであることにより、車両の状況、周囲の状況等を感覚的に把握して安全運転等に役立てることができる。
【実施例２】
【００４４】
この実施例においては、車両に関する情報として、車両の加速度、車両の現在位置、車内外の明るさ、車両の燃料残量、車両の走行距離が適用され、これらによりグラフィック表示を変化される。なおこの実施例においては、表示に供する車両に関する情報が異なる点を除いて実施例１と同一に構成される。
【００４５】
またこれらの表示に供する内容に応じて、実施例１について上述したように、表示色、傾き等の表示形態が適用される。
【００４６】
この実施例のように、車両に関する情報として車両の加速度、車両の現在位置等の情報を適用するようにしても、実施例１と同様の効果を得ることができる。
【実施例３】
【００４７】
この実施例においては、車両に関する情報として、車両の現在位置の情報を適用する。またこの現在位置の情報表示を背景における地図の表示により実行する。これによりこの実施例では車両に搭載された位置検出手段であるカーナビゲーション装置により現在位置の情報を取得する。なおこの実施例においては、これらの点を除いて、実施例１と同一に構成される。
【００４８】
この実施例のように車両に関する情報を背景の変化により表示するようにしても、実施例１と同一の効果を得ることができる。
【実施例４】
【００４９】
なお上述の実施例においては、車両のコントローラより車両に関する情報を取得する場合等について述べたが、本発明はこれに限らず、車両に関する情報の取得にあっては種々の情報取得手段から取得することができる。すなわち例えばエンジンの回転速度にあっては、電源に混入するイグニッションノイズから検出するようにしてもよい。また車両の加速度、傾きにあっては、加速度センサを内蔵させ、この加速度センサで検出するようにしてもよい。
【００５０】
また上述の実施例においては、色彩、傾きの変化、背景の切り換えにより車両に関する情報を表示する場合について述べたが、本発明はこれに限らず、文字色の変化、文字の大きさ、壁紙の表示等の変化によりこれらの情報を表示してもよい。また一時的なグラフィック表示の中止、点滅により、さらには拡大、縮小によりこれらの情報を表示してもよい。
【００５１】
また上述の実施例においては、本発明をカーオーディオ装置に適用して、主の情報の表示が音楽に係る表示である場合について述べたが、本発明はこれに限らず、例えばカーナビゲーション装置に適用して、主の情報の表示が目的地の方向である場合、車々間通信装置に適用して、主の情報の表示がメッセージの表示である場合等にも広く適用することができる。
【産業上の利用可能性】
【００５２】
本発明は、カーオーディオ装置に適用することができる。
【図面の簡単な説明】
【００５３】
【図１】本発明の実施例１に係るカーオーディオ装置を示すブロック図である。
【図２】本発明の実施例１に係るカーオーディオ装置の周波数スペクトラムの表示を示す正面図である。
【図３】図２のカーオーディオ装置の音量の表示を示す平面図である。
【図４】車両に関する情報による表示の変形を示す正面図である。
【符号の説明】
【００５４】
１……カーオーディオ装置、２……ソース部、３……中央処理ユニット、４……信号処理回路、８……液晶表示パネル、１１……インターフェース
【図１】
2005112255.tif 000003
【図２】
2005112255.tif 000004
【図３】
2005112255.tif 000005
【図４】
2005112255.tif 000006